(57)【要約】【課題】  特許文献１に記載されている方法では、光ディスクの物理的性質に限界があるため、高速化もその限界の範囲内になってしまうという問題があった。【解決手段】  本件発明は、上記課題に鑑みなされたものである。  第一の発明は、光ディスクの一面に対して同時にアクセス可能な複数の光ピックアップ部と、前記複数の光ピックアップ部の動作を制御する動作制御部と、を備えた光ディスク装置に関する。  第二の発明は、前記光ディスクが書込可能な光ディスクである場合に、前記動作制御部が、前記複数の光ピックアップ部による前記光ディスクの一面に対する同時書込動作を制御するための同時書込制御手段を有する第一の発明に記載の光ディスク装置に関する。【選択図】  図１
2006236450.tif 000002
【特許請求の範囲】
【請求項１】
光ディスクの一面に対して同時にアクセス可能な複数の光ピックアップ部と、
前記複数の光ピックアップ部の動作を制御する動作制御部と、
を備えた光ディスク装置。
【請求項２】
前記光ディスクが書込可能な光ディスクである場合に、前記動作制御部は、前記複数の光ピックアップ部による前記光ディスクの一面に対する同時書込動作を制御するための同時書込制御手段を有する請求項１に記載の光ディスク装置。
【請求項３】
前記同時書込制御手段は、ファイナライズ処理のために前記複数の光ピックアップ部のうち第一光ピックアップ部にディスクの記録管理情報の書込動作をさせるための記録管理情報書込器と、第二光ピックアップ部にリードアウト領域の書込動作をさせるためのリードアウト書込器と、を有する請求項２に記載の光ディスク装置。
【請求項４】
前記動作制御部は、複数の光ピックアップ部の動作情報に応じて光ディスクの回転数を制御する回転数制御手段を有する請求項１から３のいずれか一に記載の光ディスク装置。
【請求項５】
前記動作制御部は、一の光ディスク内で、書込の結果残る光ディスクの物理的痕跡が複数の光ピックアップ部ごとにばらつかないように書込出力を制御する書込出力制御手段を有する請求項２から４のいずれか一に記載の光ディスク装置。
【請求項６】
書込可能な光ディスクに対して、複数の光ピックアップ部を利用して同時に書込を行なうための方法であって、
複数の光ピックアップ部のうちの一の光ピックアップ部に対して前記光ディスクに対して書込を行うための処理を実行する第一ステップと、
前記複数の光ピックアップ部のうちの他の一の光ピックアップ部に対して前記光ディスクの一の光ディスクが書込処理を実行する領域と別の領域に書込を行うための処理を実行する第二ステップと、を有する光ディスクに書込を行う方法。
【発明の詳細な説明】
【技術分野】
【０００１】
本件発明は、主に、ファイナライズ処理を高速化する光ディスク装置に関する。
【背景技術】
【０００２】
ＤＶＤ−Ｒ（Ｄｉｇｉｔａｌ  Ｖｅｒｓａｔｉｌｅ  Ｄｉｓｋ  Ｒｅｃｏｒｄａｂｌｅ）などの追記可能な光ディスク（記録媒体）においては、記録したデータを再生するためには、ファイナライズ処理が必要になってくる。そしてファイナライズ処理においては、記録したアドレス等の管理情報のＴＯＣ（Ｔａｂｌｅ  Ｏｆ  Ｃｏｎｔｅｎｔｓ）領域への書込や、ＤＶＤ−Ｒ装置にて再生可能にするために記録媒体に簡易録画で記録されている状態のデータからＤＶＤ規格に合わせたフォーマットのデータへの変換がなされる。このファイナライズ処理に要する時間は、一般的に、記録媒体の記録可能領域が多いほどＤＶＤ規格に合わせたフォーマットに変換されるデータ量が多くなるため、長くなってしまう。したがって記録媒体の取り出し時間も長くなってしまうという問題があった。このため特許文献１に開示されているように、矩形記録波形を用いてファイナライズ処理を高速化する方法などが提案されている。
【特許文献１】特開２００４−１７８７１５
【発明の開示】
【発明が解決しようとする課題】
【０００３】
しかしながら、特許文献１に記載されている方法では、光ディスクの物理的性質に限界があるため、高速化もその限界の範囲内になってしまうという問題があった。
【課題を解決するための手段】
【０００４】
本件発明は、上記課題に鑑みなされたものである。
第一の発明は、光ディスクの一面に対して同時にアクセス可能な複数の光ピックアップ部と、前記複数の光ピックアップ部の動作を制御する動作制御部と、を備えた光ディスク装置に関する。
第二の発明は、前記光ディスクが書込可能な光ディスクである場合に、前記動作制御部が、前記複数の光ピックアップ部による前記光ディスクの一面に対する同時書込動作を制御するための同時書込制御手段を有する第一の発明に記載の光ディスク装置に関する。
第三の発明は、前記同時書込制御手段が、ファイナライズ処理のために前記複数の光ピックアップ部のうち第一光ピックアップ部にディスクの記録管理情報の書込動作をさせるための記録管理情報書込器と、第二光ピックアップ部にリードアウト領域の書込動作をさせるためのリードアウト書込器と、を有する第二の発明に記載の光ディスク装置に関する。
第四の発明は、前記動作制御部が、複数の光ピックアップ部の動作情報に応じて光ディスクの回転数を制御する回転数制御手段を有する第一の発明から第三の発明のいずれか一に記載の光ディスク装置に関する。
第五の発明は、前記動作制御部が、一の光ディスク内で、書込の結果残る光ディスクの物理的痕跡が複数の光ピックアップ部ごとにばらつかないように書込出力を制御する書込出力制御手段を有する第二の発明から第四の発明のいずれか一に記載の光ディスク装置に関する。
【発明の効果】
【０００５】
本件発明によれば、光ディスク装置が複数の光ピックアップ部を有することにより、処理を並列に行うことができるので、主に、ファイナライズ処理を高速化できる。
【発明を実施するための最良の形態】
【０００６】
以下に本件発明の実施形態を説明する。実施形態と、請求項との関係はおおむね次のようなものである。
実施形態１は、主に、請求項１、請求項２、請求項３、請求項６などについて説明している。
実施形態２は、主に、請求項４について説明している。
実施形態３は、主に、請求項５について説明している。
以下に、図を用いて本発明の実施の形態を説明する。なお、本発明はこれら実施の形態に何ら限定されるものではなく、その要旨を逸脱しない範囲において、種々なる態様で実施しうる。
【０００７】
<<実施形態１>>
以下に実施形態１について説明する。
<実施形態１の概念>
以下に、本実施形態の概念について説明する。
図１は、本実施形態の概念の一例を示すための図である。本実施形態の光ディスク装置０１００は、複数（図１の場合は２つ）の光ピックアップ部０１０１、０１０２を有している。複数の光ピックアップ部により、処理を並列に行うことにより、主に、ファイナライズ処理を高速化することができる。
【０００８】
<構成要件の明示>
以下に本実施形態の構成要件を明示する。
図２は、本実施形態の機能ブロックの一例を示す図である。光ディスク装置０２００は、光ピックアップ部０２０１と、動作制御部０２０２と、からなる。また動作制御部は、同時書込制御手段０２０３を有していてもよい。さらに同時書込制御手段は、記録管理情報書込器０２０４と、リードアウト書込器０２０５と、を有していてもよい。
【０００９】
<構成要件の説明>
以下に、本実施形態の構成要件について説明する。なお、本件発明の構成要件を説明する前に、光ディスクについて、簡単に説明する。
（光ディスク）
「光ディスク」は、一般的に、物理仕様、論理仕様、アプリケーション仕様を有する。以下に、物理仕様、論理仕様、アプリケーション仕様について説明する。
一般的に、光ディスクを光ディスク再生装置で扱い、映像情報や音声情報を再生するなどの機能、動作を実現するためには、大きく三つの層の働きが必要とされる。これらをそれぞれ物理層、ファイルシステム層、アプリケーション層という。
【００１０】
物理層は、光ディスクのディスク形状、セクタ構造、変調方式など物理的な部分を定めたものであり、光ディスクごとに物理仕様（物理規格、物理フォーマットともいう）として決められる。物理仕様が一致しないと光ディスク再生装置に光ディスクを挿入できない、挿入しても信号を記録したり再生したりすることができない。
【００１１】
ファイルシステム層は、光ディスクの物理特性の違いを吸収してデータ空間とファイル単位でのデータ管理構造をアプリケーション層に提供する。光ディスクへの記録データあるいは光ディスクからの再生データをファイルとして扱うように光ディスクの使用方法が決められており、論理仕様（論理規格、論理フォーマット、ファイルフォーマットともいう）と呼ばれる。ある論理仕様で光ディスクに記録されたファイルは、その論理仕様がサポートされた光ディスク再生装置であればそのファイルを読み出すことができる。
【００１２】
アプリケーション層は、映像・音声コンテンツなどのアプリケーションを楽しむためのデータ構造がファイル単位でアプリケーション仕様（アプリケーション規格ともいう）として決められる。例えば、ワープロソフトはアプリケーションソフトであるが、あるワープロソフトで書いた文章を光ディスクに文書として記録しても、別のアプリケーションソフトでは読み出すことができない。このようにアプリケーション層が一致しないとファイルの中身を読出、活用したり、楽しんだりすることができない。
【００１３】
また光ディスクには、一例として、物理仕様の違いによって、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）、ＭＯ（Ｍａｇｎｅｔｏ  Ｏｐｔｉｃａｌ  Ｄｉｓｃ）、ＭＤ（Ｍｉｎｉ  Ｄｉｓｃ）、ＰＤ（Ｐｈａｓｅ  ｃｈａｎｇｅ  ｒｅｗｒｉｔａｂｌｅ  Ｄｉｓｋ）、Ｂｌｕ−ｒａｙ  Ｄｉｓｃなどが挙げられる。さらに光ディスクの種別には、一例として、一度だけ記録可能な追記型ディスク、何度も消去して記録可能な書換型ディスクなどが挙げられる。一度だけ記録可能な追記型ディスクには、一例として、ＣＤ−Ｒ（ＣＤ−Ｒｅｃｏｒｄａｂｌｅ）、ＤＶＤ−Ｒ（ＤＶＤ−Ｒｅｃｏｒｄａｂｌｅ）、などが挙げられる。何度も消去して記録可能な書換型ディスクには、一例として、ＣＤ−ＲＷ（ＣＤ−ＲｅＷｒｉｔａｂｌｅ）、ＤＶＤ−ＲＷ（ＤＶＤ−ＲｅＷｒｉｔａｂｌｅ）などが挙げられる。なお、上記の追記型ディスク、書換型ディスクを総称して追記可能光ディスクということにする。追記可能光ディスクを再生可能にするためには、ファイナライズ処理が必要とされる。ここで「ファイナライズ処理」とは、あるフォーマットで記録した光ディスクを、他の光ディスク再生装置で再生できるようにするためになされるフォーマットの変換処理のことをいう。ファイナライズ処理完了後は、データを記録することができない。
【００１４】
図３は、追記可能光ディスクの断面の一例を示す図である。図３の一点差線は、追記可能光ディスクの中心線０３００を示している。追記可能光ディスクは、情報領域０３０１を有する。情報領域は、ＴＯＣ（Ｔａｂｌｅ  Ｏｆ  Ｃｏｎｔｅｎｔｓ）領域０３０２と、プログラム領域０３０３と、リードアウト領域０３０４と、からなる。またＴＯＣ領域は、ＰＣＡ（Ｐｏｗｅｒ  Ｃａｌｉｂｒａｔｉｏｎ  Ａｒｅａ）０３０５と、ＲＭＡ（Ｒｅｃｏｒｄｉｎｇ  Ｍａｎａｇｅｍｅｎｔ  Ａｒｅａ）０３０６と、リードイン領域０３０７と、からなる。ここで「ＰＣＡ」は、光ディスクの初めの部分（内周）に確保される領域で、記録するレーザ光線の調整を行うために使わる。例えば、ＣＤ−Ｒでは、１００回分の領域が用意されており、少なくとも１回の書込で１回分の領域が使用される。そしてキャリブレーションの失敗により、この領域を使い切ると、データ用領域に空きが残っていても追記はできなくなる。「ＲＭＡ」とは、ＤＶＤ−Ｒ／−ＲＷに必要な記録管理情報のことをいう。「リードアウト領域」とは、光ディスクのセッションの最後にある領域で、データの最後に到達したことを示す領域のことをいう。リードアウト領域には、プログラムデータは書き込まれない。例えば、ＣＤ上の最初のリードアウトは、６７５０セクタ（１．５分間、約１３メガバイト）で、以降のリードアウトは２２５０セクタ（０．５分間、約４メガバイト）となっている。「リードイン領域」とは、光ディスクの各セッションの先頭にある領域のことをいう。例えば、ＣＤにおいては、セッションのＴＯＣ（トラック番号と開始／終了位置）を保存するように左側がブランクになっている。またリードイン領域は、セッションがクローズすると書き込まれ、例えば、ＣＤで４５００セクタ（１分間、約９メガバイト）使用する。また、ＣＤがマルチセッションかどうかも示す。ＣＤがファイナライズ処理されていない場合、ＣＤ上の次の書込アドレスを示す。
【００１５】
（光ピックアップ部）
「光ピックアップ部」は、光ディスクの一面に対して同時にアクセス可能なように複数で構成されている。ここで「光ピックアップ部」とは、データの書込、読出を行うために光ディスクに照射される光源を生成する部分のことをいう。光ピックアップ部は、一例として、レーザ光源、ビームスプリッタ、対物レンズ、光検出器などで構成されている。レーザ光源には、例えば、半導体レーザなどが使用される。ビームスプリッタには、例えば、コリメータレンズなどが使用される。対物レンズは、レーザ光線を光ディスク表面へ収束するためのレンズである。光検出器は、跳ね返ってきたレーザ光線を受光し、受光したレーザ光線から光ディスクへのピント合わせ・トラッキング制御のための信号を検出する。複数の光ピックアップ部は、動作制御部によって制御される。なお、「複数」の光ピックアップ部は３個以上であってもよい。
図４は、２つの光ピックアップ部を有する光ディスク装置の構造の一例を示す平面図である。
【００１６】
（動作制御部）
「動作制御部」は、複数の光ピックアップ部の動作を制御するように構成されている。ここで動作制御部の制御には、複数の光ピックアップ部をすべて「読出」に使用する制御、すべて「書込」に使用する制御、一部を「読出」に使用し、残りを「書込」に使用する制御などが該当する。また動作制御部の制御には、トラックサーボによるトラッキングの際の移動なども含まれる。ここで「トラッキング」とは、必要な情報を読み出すために光ディスクのセクタにアクセスすることをいう。
【００１７】
（同時書込制御手段）
「動作制御部」は、光ディスクが書込可能な光ディスクである場合に、同時書込制御手段を有するように構成されていてもよい。
「同時書込制御手段」とは、複数の光ピックアップ部による光ディスクの一面に対する同時書込動作を制御するための手段のことをいう。また同時書込制御手段は、例えば、複数の光ピックアップ部が同時に同じ領域に書き込むのを回避するような機能を持っている。さらに同時書込制御手段は、複数の光ピックアップ部がそれぞれの位置になっているかを考慮して、最も短い距離で動かすことも考えられる。
同時書込制御手段は、記録管理情報書込器と、リードアウト書込器と、を有するように構成されていてもよい。
【００１８】
（記録管理情報書込器）
「記録管理情報書込器」は、ファイナライズ処理のために複数の光ピックアップ部のうち第一光ピックアップ部にディスクの記録管理情報の書込動作をさせる。
【００１９】
（リードアウト書込器）
「リードアウト書込器」は、ファイナライズ処理のために複数の光ピックアップ部のうち第二光ピックアップ部にリードアウト領域の書込動作をさせる。
なお、第一光ピックアップ部と第二光ピックアップ部とは別物である。
【００２０】
<処理の流れ>
以下に、本実施形態の処理の流れについて説明する。なお、以下に示す処理の流れは、方法、計算機に実行させるためのプログラム、またはそのプログラムが記録された読み取り可能な記録媒体として実施されうる（これは、本明細書のその他の処理の流れについても同様である）。
図５、図６は、本実施形態のファイナライズ処理の流れの一例を示す図である。図５は、記録管理情報書込器の処理の流れを示し、図６は、リードアウト書込器の処理の流れを示している。
【００２１】
（記録管理情報書込器の処理の流れ）
図５に基づいて、記録管理情報書込器の処理の流れについて説明する。
まず、ファイナライズ処理が開始されると、光ディスク装置において、記録管理情報書込ステップは、第一光ピックアップ部を起動する（ステップＳ０５０１）。次に、光ディスク装置において、記録管理情報書込ステップは、第一光ピックアップ部により光ディスクの記録管理情報を記録する（ステップＳ０５０２）。次に、光ディスク装置において、記録管理情報書込ステップは、第一光ピックアップ部によりリードイン領域を記録する（ステップＳ０５０３）。
【００２２】
（リードアウト書込器の処理の流れ）
図６に基づいて、リードアウト書込器の処理の流れについて説明する。
まず、ファイナライズ処理が開始されると、光ディスク装置において、リードアウト書込ステップは、第二光ピックアップ部を起動する（ステップＳ０６０１）。次に、光ディスク装置において、リードアウト書込ステップは、第二光ピックアップ部によりリードアウト領域の開始端アドレスを検出し、標準フォーマットでリードアウト領域を記録する（ステップＳ０６０２）。
【００２３】
なお、ファイナライズ処理にあたっては、上記記録管理情報書込器とリードアウト書込器は同時に動作しうる。
【００２４】
（実施例１）
図７は、本実施例の一例を示す具体的機能ブロック図である。本実施例は、同時書込制御手段が、記録管理情報書込器と、リードアウト書込器と、を有するように構成されている一例を示している。本実施例の光ディスク装置は、第一光ピックアップ部０７０１と、第二光ピックアップ部０７０２と、動作制御部０７０３と、同時書込制御手段０７０４と、記録管理情報書込器０７０５と、リードアウト書込器０７０６と、第一スレッドモータドライバ０７０７と、第二スレッドモータドライバ０７０８と、光ディスク０７０９と、スピンドルモータ０７１０と、スピンドルモータドライバ０７１１と、ＲＦアンプ０７１２、０７１３と、サーボ回路０７１４、０７１５と、インタフェース回路０７１６と、からなる。第一、第二スレッドモータドライバは、それぞれ第一、第二光ピックアップ部を動作させるためのドライブである。スピンドルモータ、スピンドルモータドライバは、光ディスクを動作させるために使用される。ＲＦアンプは、信号を増幅する。サーボ回路は、光ディスクに刻まれた信号を最適に読み取るための回路である。インタフェース回路は、出力部とのインタフェースのための回路である。
【００２５】
以下に、実施例１の動作の一例を示す。まず操作者がファイナライズ処理の操作をすると、動作制御部のＣＰＵ（Ｃｅｎｔｒａｌ  Ｐｒｏｃｅｓｓｉｎｇ  Ｕｎｉｔ）が、同時書込制御手段とサーボ回路を起動する。サーボ回路０７１４は、第一スレッドモータドライバを起動して第一光ピックアップ部を書込位置に移動させると同時にスピンドルモータドライバを起動し、スピンドルモータを制御する。またサーボ回路０７１５は、第二スレッドモータドライバを起動して第二光ピックアップ部を書込位置に移動させる。同時書込制御手段は、記録管理情報書込器とリードアウト書込器を起動する。記録管理情報書込器は、ＲＦアンプ０７１２を起動して第一光ピックアップ部を用いてリードイン領域を記録する。リードアウト書込器は、ＲＦアンプ０７１３を起動して第二光ピックアップ部を用いてリードアウト領域の開始端アドレスを検出し、標準フォーマットでリードアウト領域を記録する。なお、記録管理情報書込器とリードアウト書込器は同時に動作する。インタフェース回路は、記録管理情報書込器からの記録管理情報をディスプレイなどに出力する。
【００２６】
（実施例２）
図８は、本実施例の一例を示す具体的機能ブロック図である。本実施例は、動作制御部が、プログラム領域への書込手段と、読出専用手段と、を有している場合の一例を示している。本実施例の光ディスク装置は、光ピックアップ部０８０１、０８０２と、動作制御部０８０３と、プログラム領域への書込手段０８０４と、読出専用手段０８０５と、スレッドモータドライバ０８０６、０８０７と、光ディスク０８０８と、スピンドルモータ０８０９と、スピンドルモータドライバ０８１０と、ＲＦアンプ０８１１、０８１２と、サーボ回路０８１３、０８１４と、インタフェース回路０８１５と、からなる。スレッドモータドライバ０８０６、０８０７は、それぞれ光ピックアップ部０８０１、０８０２を動作させるためのドライブである。プログラム領域への書込手段は、プログラム領域にデータを書き込む。読出専用手段は、光ディスクからの信号をデコードしデータを読み取る。
【００２７】
<実施例２の処理の流れ>
以下に、本実施例の処理の流れについて説明する。
図９、図１０は、本実施例の処理の流れの一例を示す図である。図９は、光ディスクの記録管理情報の書込動作における処理の流れであり、図１０は、プログラム領域のデータの読出動作における処理の流れを示している。なお、実施例１と実施例２の違いは、実施例１においては、２つの光ピックアップ部を両方とも書込に使用するのに対して、実施例２においては、２つの光ピックアップ部のうち、一つは書込に使用し、他方は読出に使用する点である。
【００２８】
（記録管理情報の書込動作における処理の流れ）
図９に基づいて、記録管理情報の書込動作における処理の流れについて説明する。
まず、光ディスク装置において、動作制御ステップは、ディスクの記録管理情報を読み取る（ステップＳ０９０１）。次に、動作制御ステップは、ディスクの記録管理情報を読み取れたか判断する。判断の結果、ディスクの記録管理情報を読み取れた場合には、ステップＳ０９０８に進み、ディスクの記録管理情報を読み取れなかった場合には、ステップＳ０９０３に進む（ステップＳ０９０２）。次に、ディスクの記録管理情報を読み取れなかった場合には、動作制御ステップは、ＲＭＡおよびリードイン領域に簡易フォーマットを示すデータを記録する（ステップＳ０９０３）。次に、動作制御ステップは、プログラム領域の先頭アドレスからデータの記録を開始する（ステップＳ０９０４）。次に、動作制御ステップは、プログラム領域のデータ記録終了かどうか判断する。判断の結果、プログラム領域のデータ記録終了である場合には、ステップＳ０９０６に進み、プログラム領域のデータ記録終了でない場合には、ステップＳ０９０５を繰り返す（ステップＳ０９０５）。次に、プログラム領域のデータ記録終了である場合には、動作制御ステップは、リードアウト領域にリードアウト情報を記録する（ステップＳ０９０６）。次に、動作制御ステップは、ディスクの記録管理情報を更新し、処理を終了する（ステップＳ０９０７）。ディスクの記録管理情報を読み取れた場合には、動作制御ステップは、リードアウト領域の開始端アドレスを検出する（ステップＳ０９０８）。次に、動作制御ステップは、プログラム領域にデータの記録を開始し、ステップＳ０９０５に進む（ステップＳ０９０９）。
【００２９】
（プログラム領域のデータの読出動作における処理の流れ）
図１０に基づいて、プログラム領域のデータの読出動作における処理の流れについて説明する。
動作制御ステップは、プログラム領域のデータを読出、処理を終了する（ステップＳ１００１）。
なお、上記記録管理情報の書込動作とプログラム領域のデータの読出動作は同時に動作しうる。
【００３０】
<実施形態１の効果の簡単な説明>
本件発明によれば、光ディスク装置が複数の光ピックアップを有し、並列処理を行うことにより、主に、ファイナライズ処理を高速化できる。
【００３１】
<<実施形態２>>
以下に実施形態２について説明する。
<実施形態２の概念>
以下に、本実施形態の概念について説明する。
本実施形態は、動作制御部が、複数の光ピックアップ部の動作情報に応じて光ディスクの回転数を制御する回転数制御手段を有する実施形態１に記載の光ディスク装置に関する。
【００３２】
<構成要件の明示>
以下に本実施形態の構成要件を明示する。
図１１は、本実施形態の機能ブロックの一例を示す図である。光ディスク装置１１００は、光ピックアップ部１１０１と、動作制御部１１０２と、からなる。また動作制御部は、回転数制御手段１１０６を有している。また動作制御部は、同時書込制御手段１１０３を有していてもよい。さらに同時書込制御手段は、記録管理情報書込器１１０４と、リードアウト書込器１１０５と、を有していてもよい。
【００３３】
<構成要件の説明>
以下に、本実施形態の構成要件について説明する。
（光ピックアップ部）、（動作制御部）、（同時書込制御手段）、（記録管理情報書込器）、（リードアウト書込器）
「光ピックアップ部」、「動作制御部」、「同時書込制御手段」、「記録管理情報書込器」、「リードアウト書込器」については、実施形態１と同様であるので説明を省略する。
【００３４】
（回転数制御手段）
動作制御部は、回転数制御手段を有するように構成されている。ここで「回転数制御手段」とは、複数の光ピックアップ部の動作情報に応じて光ディスクの回転数を制御する手段のことをいう。「動作情報」とは、光ディスクへの書込動作か（リードイン領域への書込か、リードアウト領域への書込か、プログラム領域への書込かなど）、光ディスクからの読出動作か、などの情報のことをいう。例えば、リードアウト領域のデータ書込時には、光ディスクの回転速度を上げることによって、リードアウト領域へのデータの書込速度を上げることが可能となる。読出している場合には、例えば、読出したセクタ番号によって内周か外周かなどの位置を特定できるので、内周の場合には速度を落としたり、外周の場合には速度を速めたりといった速度制御が可能となる。
【００３５】
<処理の流れ>
本実施形態の処理の流れは、実施形態１と同様なので説明を省略する。
【００３６】
<実施形態２の効果の簡単な説明>
本件発明によれば、複数の光ピックアップ部の動作情報に応じて光ディスクの回転数を制御することができる。
【００３７】
<<実施形態３>>
以下に実施形態３について説明する。
<実施形態３の概念>
以下に、本実施形態の概念について説明する。
本実施形態は、動作制御部が、一の光ディスク内で、書込の結果残る光ディスクの物理的痕跡が複数の光ピックアップ部ごとにばらつかないように書込出力を制御する書込出力制御手段を有する実施形態１又は２に記載の光ディスク装置に関する。
【００３８】
<構成要件の明示>
以下に本実施形態の構成要件を明示する。
図１２は、本実施形態の機能ブロックの一例を示す図である。光ディスク装置１２００は、光ピックアップ部１２０１と、動作制御部１２０２と、からなる。また動作制御部は、同時書込制御手段１２０３を有している。また動作制御部は、回転数制御手段１２０６を有していてもよい。さらに同時書込制御手段は、記録管理情報書込器１２０４と、リードアウト書込器１２０５と、を有していてもよい。
【００３９】
<構成要件の説明>
以下に、本実施形態の構成要件について説明する。
（光ピックアップ部）、（動作制御部）、（同時書込制御手段）、（記録管理情報書込器）、（リードアウト書込器）、（回転数制御手段）
「光ピックアップ部」、「動作制御部」、「同時書込制御手段」、「記録管理情報書込器」、「リードアウト書込器」、「回転数制御手段」については、実施形態１又は２と同様であるので説明を省略する。
【００４０】
（書込出力制御手段）
動作制御部は、書込出力制御手段を有するように構成されている。ここで「書込出力制御手段」とは、一の光ディスク内で、書込の結果残る書込の結果残る光ディスクの物理的痕跡が複数の光ピックアップ部ごとにばらつかないように手段のことをいう。ばらつかないようにするための手段には、一例として、読出の光ディスクからの反射強度を測定して比較することによって、複数の光ピックアップ部の光強度が略同じになるように調節する方法などが考えられる。したがって、物理的痕跡が複数の光ピックアップ部ごとにばらつかないように制御できるため、光ディスクの読出品質の向上が図れる。
【００４１】
<処理の流れ>
本実施形態の処理の流れは、実施形態１又は２と同様なので説明を省略する。
【００４２】
<実施形態３の効果の簡単な説明>
本件発明によれば、書込の結果残る光ディスクの物理的痕跡が複数の光ピックアップ部ごとにばらつかないようにすることができる。
【産業上の利用可能性】
【００４３】
本件発明は、ファイナライズ処理を高速化するための光ディスク装置に利用可能である。
【図面の簡単な説明】
【００４４】
【図１】実施形態１の概念図
【図２】実施形態１の機能ブロック図
【図３】実施形態１の追記可能光ディスクの構造を示す断面図
【図４】実施形態１の光ディスクの断面図
【図５】実施形態１の処理（その１）の流れ図
【図６】実施形態１の処理（その２）の流れ図
【図７】実施形態１の実施例１の具体的機能ブロック図
【図８】実施形態１の実施例２の具体的機能ブロック図
【図９】実施形態１の実施例２の処理（その１）の流れ図
【図１０】実施形態１の実施例２の処理（その２）の流れ図
【図１１】実施形態２の機能ブロック図
【図１２】実施形態３の機能ブロック図
【符号の説明】
【００４５】
０１００  光ディスク装置
０１０１  光ピックアップ部
０１０２  光ピックアップ部
【図１】
2006236450.tif 000003
【図２】
2006236450.tif 000004
【図３】
2006236450.tif 000005
【図４】
2006236450.tif 000006
【図５】
2006236450.tif 000007
【図６】
2006236450.tif 000008
【図７】
2006236450.tif 000009
【図８】
2006236450.tif 000010
【図９】
2006236450.tif 000011
【図１０】
2006236450.tif 000012
【図１１】
2006236450.tif 000013
【図１２】
2006236450.tif 000014